(57)【要約】  有機物を用いた吸着剤の再生装置において、吸着剤の再生における投入エネルギーを低減でき，さらには再生時に吸着剤に残存する洗浄用の有機溶媒量を低減できる吸着剤再生装置を提供する。  上記課題を達成するために、本発明では水処理で使用した使用済み吸着剤から吸着質を除去して再生する装置において，常温常圧で気体の物質Ａを飽和蒸気圧下に保持することで液体状態となった液化物質Ａを用い，処理槽で吸着剤と液化物質Ａを接触させることで吸着質を脱着し液化物質Ａに溶出させ，蒸発器で吸着剤に接触した液化物質Ａを気化させることで吸着質を分離し，圧縮機で気化した物質Ａを圧縮し，凝縮器で圧縮した物質Ａを液化させることを特徴とするものである。
2015033455.tif 000002
【特許請求の範囲】
【請求項１】
水処理で使用した使用済み吸着剤から吸着質を除去して再生する吸着剤再生装置において，
常温常圧で気体の物質Ａを飽和蒸気圧下に保持することで液体状態となった液化物質Ａを用い，
前記吸着剤と前記液化物質Ａを接触させることで吸着質を脱着し液化物質Ａに溶出させる処理槽と，
前記吸着剤に接触した前記液化物質Ａを気化させることで吸着質を分離する蒸発器と，
気化した前記物質Ａを液化させる凝縮器と，
液化した前記物質Ａを送液するポンプと，
を備えることを特徴とする吸着剤再生装置。
【請求項２】
水処理で使用した使用済み吸着剤から吸着質を除去して再生する吸着剤再生装置において，
常温常圧で気体の物質Ａを飽和蒸気圧下に保持することで液体状態となった液化物質Ａを用い，
前記吸着剤と前記液化物質Ａを接触させることで吸着質を脱着し液化物質Ａに溶出させる処理槽と，
前記吸着剤に接触した前記液化物質Ａを気化させることで吸着質を分離する蒸発器と，
気化した前記物質Ａを圧縮する圧縮機と，
圧縮した前記物質Ａを液化させる凝縮器と，
を備えることを特徴とする吸着剤再生装置。
【請求項３】
請求項２の吸着剤再生装置において、
前記圧縮機の上流側の物質Ａと下流側の物質Ａとで熱を授受するため熱交換器を設置したことを特徴とする吸着剤再生装置。
【請求項４】
請求項１、又は請求項２の吸着剤再生装置において、
前記蒸発器の高温側と前記凝縮器の低温側とを，冷媒を用いた冷凍サイクルで接続したことを特徴とする吸着剤再生装置。
【請求項５】
請求項１、又は請求項２の吸着剤再生装置において、前記処理槽内部の下部から圧縮空気が注入されることを特徴とする吸着剤再生装置。
【請求項６】
請求項１、又は請求項２の吸着剤再生装置において、
前記処理槽内の物質Ａの流れにより吸着剤が浮遊し流動床となるように制御されたことを特徴とする吸着剤再生装置。
【請求項７】
請求項１、又は請求項２の吸着剤再生装置において、
前記処理槽内の下部にヒーターを設置し，飽和蒸気圧下の物質Ａを沸騰させることを特徴とする吸着剤再生装置。
【請求項８】
請求項７の吸着剤再生装置において、
前記ヒーターを，水平方向の断面積よりも垂直方向の断面積が大きくなるように設置したことを特徴とする吸着剤再生装置。
【請求項９】
請求項５、又は請求項７の吸着剤再生装置において、
前記物質Ａの流体力により前記吸着剤の粒子の位置が移動しないように，前記吸着剤を網状の容器もしくは袋に入れたことを特徴とする吸着剤再生装置。
【請求項１０】
請求項１、又は請求項２の吸着剤再生装置において、
前記物質Ａがジメチルエーテルであることを特徴とする吸着剤再生装置。
【請求項１１】
請求項１、又は請求項２の吸着剤再生装置において、
前記吸着剤が活性炭もしくはその派生物であることを特徴とする吸着剤再生装置。
【発明の詳細な説明】
【技術分野】
【０００１】
本発明は、使用済み吸着剤から吸着質を脱着し，吸着剤を再生する装置に関するものである。
【背景技術】
【０００２】
本技術分野の背景技術として、〔特許文献１〕、〔特許文献２〕がある。【０００３】
〔特許文献１〕には、水処理に使用した活性炭を有機溶剤で洗浄し，次いで加熱スチームにより活性炭から有機溶剤と水分を脱着する装置が開示されている。【０００４】
〔特許文献２〕には，常温常圧で液体の有機溶媒を用いて使用済み吸着剤を再生し，洗浄に使用した有機溶媒は，蒸留することで純度を上げ，再び再生に利用する装置が開示されている。
【先行技術文献】
【特許文献】
【０００５】
【特許文献１】特開平０７―３１３８７４号公報
【特許文献２】特開昭６３―０７７５４１号公報
【発明の概要】
【発明が解決しようとする課題】
【０００６】
水処理に使用した活性炭などの使用済み吸着剤を再生する方法として，液体の有機溶媒をもちいて洗浄することにより吸着質を吸着剤から脱着させる方法がある。【０００７】
〔特許文献１〕では，吸着剤の再生時に付着する多量の有機溶媒を吸着剤から除去するために，過熱スチームをもちいて水や有機溶媒を気化させることで分離している。したがって，過熱スチームを製造するための膨大なエネルギーが不可欠となり，吸着剤の再生コストを増大させる原因となっている。【０００８】
〔特許文献２〕では，吸着剤の再生時に利用する有機溶媒が吸着剤に付着したままとなり，再生した吸着剤を水処理に使用した場合，有機溶媒が処理水に混合する恐れがある。また，再生に利用する有機溶媒は，蒸留することで吸着質と分離されて純度が上げられているが，有機溶媒を気化させるためには，顕熱分と潜熱分のエネルギーを投入する必要があり，さらには水分の加熱，気化にもエネルギーが消費されるので，膨大なエネルギーが不可欠な構成となっている。またこの場合，熱交換により有機溶媒の加熱エネルギーの一部を有機溶媒の凝縮熱で賄うことができるが，授受するエネルギーが膨大なため大型の熱交換器が必要となってしまう。【０００９】
そこで本発明は、なるべく小型で，かつ吸着剤の再生時に投入するエネルギーを低減でき，さらには再生時に吸着剤に残存する洗浄用の有機溶媒量を低減できる吸着剤再生装置を提供する。
【課題を解決するための手段】
【００１０】
前述の課題を達成するために、本発明は水処理で使用した使用済み吸着剤から吸着質を除去して再生する吸着剤再生装置において，
常温常圧で気体の物質Ａを飽和蒸気圧下に保持することで液体状態となった液化物質Ａを用い，前記吸着剤と前記液化物質Ａを接触させることで吸着質を脱着し液化物質Ａに溶出させる処理槽と，前記吸着剤に接触した前記液化物質Ａを気化させることで吸着質を分離する蒸発器と，気化した前記物質Ａを液化させる凝縮器と，液化した前記物質Ａを送液するポンプと，を備えることを特徴とするものである。
【００１１】
また、前述の課題を達成するために、本発明は水処理で使用した使用済み吸着剤から吸着質を除去して再生する吸着剤再生装置において，
常温常圧で気体の物質Ａを飽和蒸気圧下に保持することで液体状態となった液化物質Ａを用い，前記吸着剤と前記液化物質Ａを接触させることで吸着質を脱着し液化物質Ａに溶出させる処理槽と，前記吸着剤に接触した前記液化物質Ａを気化させることで吸着質を分離する蒸発器と，気化した前記物質Ａを圧縮する圧縮機と，圧縮した前記物質Ａを液化させる凝縮器と，を備えることを特徴とするものである。【００１２】
更に、本発明は吸着剤再生装置において、
前記圧縮機の上流側の物質Ａと下流側の物質Ａとで熱を授受するため熱交換器を設置したことを特徴とするものである。【００１３】
更に、本発明は吸着剤再生装置において、
前記蒸発器の高温側と前記凝縮器の低温側とを，冷媒を用いた冷凍サイクルで接続したことを特徴とするものである。【００１４】
更に、本発明は吸着剤再生装置において、
前記処理槽内部の下部から圧縮空気が注入されることを特徴とするものである。【００１５】
更に、本発明は吸着剤再生装置において、
前記処理槽内の物質Ａの流れにより吸着剤が浮遊し流動床となるように制御されたことを特徴とするものである。【００１６】
更に、本発明は吸着剤再生装置において、
前記処理槽内の下部にヒーターを設置し，飽和蒸気圧下の物質Ａを沸騰させることを特徴とするものである。【００１７】
更に、本発明は吸着剤再生装置において、
前記ヒーターを，水平方向の断面積よりも垂直方向の断面積が大きくなるように設置したことを特徴とするものである。【００１８】
更に、本発明は吸着剤再生装置において、
前記物質Ａの流体力により前記吸着剤の粒子の位置が移動しないように，前記吸着剤を網状の容器もしくは袋に入れたことを特徴とするものである。【００１９】
更に、本発明は吸着剤再生装置において、
前記物質Ａがジメチルエーテルであることを特徴とするものである。【００２０】
更に、本発明は吸着剤再生装置において、
前記吸着剤が活性炭もしくはその派生物であることを特徴とするものである。
【発明の効果】
【００２１】
本発明によれば、吸着剤を再生する装置において常温常圧で気体の有機物を飽和蒸気圧下で用いるために，少ない投入エネルギーで吸着剤を再生可能になり，また，再生時に付着した洗浄液は，減圧による気化で容易に除去できるので，再生吸着剤の使用時に処理水への洗浄液の流出の低減を実現できる。
【図面の簡単な説明】
【００２２】
【図１】本発明の吸着剤再生装置の構成図の一例である。
【図２】本発明の吸着剤再生装置の構成図の他の例である。
【図３】本発明の吸着剤再生装置の構成図のさらに他の例である。
【図４】本発明の吸着剤再生装置を構成する処理槽の内部構造の一例である。
【図５】本発明の吸着剤再生装置を構成する処理槽の内部構造の他の例である。
【図６】本発明の吸着剤再生装置を構成する処理槽の内部構造のさらに他の例である。
【図７】本発明の吸着剤再生装置を用いた活性炭の再生データである。
【発明を実施するための形態】
【００２３】
以下、本発明の実施形態について以下図面を参照して説明する。
【実施例１】
【００２４】
図１は，本発明装置の実施例を示す。
まず，通常の汚水処理モードでは，バルブ１１，１２，１５が閉められ，バルブ１３，１４は開かれた状態で運用する。汚水は処理槽２に充填された吸着剤と接触とすることで，不純物が吸着剤に吸着され，処理槽の出口からは不純物を含まない浄化水が得られる。この状態で運用を続けると，吸着飽和に達し不純物が漏出してしまうため，不純物が漏出する前に一時的に運用を停止し，吸着剤の再生モードに移行する。移行時には処理槽から水が除去されるが，吸着剤には水と不純物が付着したままとなっている。【００２５】
吸着剤の再生モードでは，バルブ１１，１２が開かれ，バルブ１３，１４は閉じられた状態で運用する。吸着剤の再生には，常温常圧では気体である物質Ａを使用する。物質Ａは再生モードの流通経路内において飽和蒸気圧で保持され，一部は液化した状態で存在している。また，図中に温度と圧力の変化を記載している。これは使用する物質Ａによって異なる値を示すものであるが，エネルギーの流れを説明するために記載した一例である。【００２６】
まず，液化物質Ａは凝縮器９の下部から抜き出され，ポンプ１によってバルブ１１を通り処理槽２に送液される。処理槽２では送り込まれた液化物質Ａに吸着剤が浸される。このとき，吸着剤に吸着されていた不純物は，液化物質Ａと親和性が高いために脱着され，水と共に液化物質Ａに溶け出す。次いで，水と不純物を溶存した液化物質Ａはバルブ１２を通して蒸発器８に送液される。蒸発器８では，液化物質Ａが気化するための潜熱分のエネルギーが供給され，沸点が最も低い液化物質Ａだけが気化し，不純物と水は残存する事になる。気化した物質Ａは凝縮器９に送られ，冷却される事で物質Ａは液化する。ここで得られた液化物質Ａは再度処理槽２に送液され，再度吸着剤からの不純物の脱着に使用される。【００２７】
上記の物質Ａの状態変化のサイクルを必要に応じて複数回繰り返すことで，吸着剤に付着した不純物の大半は脱着する。脱着が完了した時点で，バルブ１２を閉め，ポンプ１の逆回転もしくは別途準備した引き抜きポンプにより処理槽２から液化物質Ａを引き抜いた後，バルブ１５を開いて処理槽２を減圧もしくは大気開放することで，吸着剤に付着している液化物質Ａは気化するので，吸着能力を回復した新品に近い再生吸着剤が得られる。【００２８】
本実施例では，物質Ａの循環にポンプ１を使用しているが，圧縮機でもその機能を代替できる。ただし，圧縮機は気体を循環させる物であるため，本実施例において使用する場合は，蒸発器８の下流かつ凝縮器９の上流に設置すれば良い。
【実施例２】
【００２９】
図２は，本発明の他の実施例であり，図１の実施例のエネルギー効率をさらに高めたものである。通常の汚水処理モードにおける動作は，図１の実施例と同等であり，特に言及する以外は、吸着剤の再生モードにおける物質Ａの循環方法が異なる。【００３０】
吸着剤の再生モードでは，処理槽２から排出された液化物質Ａは膨張弁６で減圧され，圧力と温度が低下する。この後熱交換器Ｄ７の低温側に導かれ，高温側を流れる高温高圧の物質Ａと熱交換を行うことで液化物質Ａは気化されて，不純物と水が分離される。次いで気化した物質Ａは圧縮機５により圧縮されて高温高圧になり，熱交換器Ｄ７の高温側に導かれ，冷却される事により液化する。液化物質Ａは熱交換器Ｃ３４で外気もしくは冷却水等によって冷却され，処理槽２に送られる。熱交換器Ｃ３４は，圧縮機５の運転による発熱分が物質Ａの循環サイクルに進入し，循環系全体の温度上昇をもたらすので，冷却用として設置する。【００３１】
上述のように，本実施例では熱交換器Ｄ７においてほぼ同一の物質がほぼ同一の流量で蒸発潜熱と凝縮潜熱の授受を行うので，循環に必要なエネルギーが大半を占めることとなり，外部から供給するエネルギーは僅かであるため，非常に効率良く吸着剤の再生が実現できる。
【実施例３】
【００３２】
図３は，本発明の他の実施例であり，図１の実施例のエネルギー効率をさらに高めたものである。通常の汚水処理モードにおける動作は，図１の実施例と同等であり，特に言及する以外は、吸着剤の再生モードにおける物質Ａの循環方法が異なる。【００３３】
処理槽２から排出された液化物質Ａは熱交換器Ａ３の低温側に導かれ，潜熱分のエネルギーを与えられて液化物質Ａが気化され，不純物と水が分離される。次いで気化した物質Ａは熱交換器Ｂ４の高温側に導かれて冷却される事により液化する。液化した物質Ａはポンプ１により処理槽２に送液される。一方，熱交換器Ａ３の高温側と熱交換器Ｂ４の低温側を流れる物質Ｂは冷凍サイクルを形成している。圧縮機５で圧縮されて高温高圧になった物質Ｂは熱交換器Ａ３の高温側に導かれ冷却されて液化する。液化した物質Ａは冷凍サイクルの循環系の温度上昇を防ぐために設置された熱交換器３４で冷却され，膨張弁６で減圧されてさらに低温低圧となる。ついで熱交換器Ｂ４の低温側に導かれて加熱されると気化して圧縮器５に導かれる。【００３４】
上述のように，本実施例では物質Ｂの冷凍サイクルを用いることで，物質Ａの蒸発潜熱を物質Ａの凝縮潜熱として移動させているだけであり，実質的に必要な投入エネルギーはポンプ１の動力と圧縮器５の動力だけである。物質Ｂの状態変化で必要な温度差は小さくて良いため，圧縮器５の動力は非常に小さい。また，ポンプ１の動力は循環系の摩擦損失だけであるので非常に小さい。したがって，装置の消費エネルギーを全体的に見ると，循環に必要なエネルギーが大半を占めており，外部から供給するエネルギーは僅かであるため，非常に効率良く吸着剤の再生が実現できる。【００３５】
また，物質Ｂは完全に閉じた系で冷凍サイクルを構成すれば良いので，フロン等の効率の良い冷媒を用いれば良い。一方，物質Ａの循環系では，物質Ａには様々な不純物が溶け込む。しかし，循環にポンプを用いるのであれば，ポンプの性能は溶存する不純物の影響をほとんど受けないので，圧縮器による循環よりも適用範囲を広げることが実現できる。
【実施例４】
【００３６】
図４は，図１から図３に示した実施例のうち，再生モードにおける処理槽２の内部構造を示した実施例である。【００３７】
処理槽２の内部は吸着剤と液化物質Ａが充填されているが，吸着剤５０からの不純物の脱着速度が遅いので，再生コストを抑えるためには気化，液化を含めた循環流量を少なくする必要がある。この場合，物質Ａは充填された吸着剤５０の隙間を通り，不純物を脱着しながら流出していくが，物質Ａが吸着剤５０の隙間を流れる経路が偏ってしまい，脱着速度が遅い部分が発生する場合がある。従って，ポンプ２１により局所的に循環させることで処理槽２内の流速をあげ，網板４５を通して均一な流れを供給し，吸着剤５０を流動床とすることで，物質Ａとの接触効率をあげて，再生速度を向上することが実現できる。
【実施例５】
【００３８】
図５は，図１から図３に示した実施例のうち，再生モードにおける処理槽２の内部構造を示した実施例である。吸着剤５０は網状容器４０に内部で移動できないように充填されている。この状態で，処理槽２は液化物質Ａで満たされており，処理槽２の下部から配管４１を通して圧縮空気が供給される。供給された圧縮空気は気泡５１となって吸着剤５０の隙間をランダムに流れるため，新鮮な液化物質Ａが供給され易くなり，再生速度を向上することができる。また，網状容器４０によって吸着剤５０の位置が固定されているため，吸着剤５０同士の移動による摩耗を防ぐことが実現できる。
【実施例６】
【００３９】
図６は，図１から図３に示した実施例のうち，再生モードにおける処理槽２の内部構造を示した実施例である。吸着剤５０は網状容器４０に内部で移動できないように充填され，処理槽２は液化物質Ａで満たされている。処理槽２内部の下部にはヒーター４２が設置され，物質Ａを加熱できるようになっている。物質Ａは飽和蒸気圧に保持されているので，ヒーター４２により与えられたエネルギーは全て蒸発潜熱として利用される。ヒーター４２によって物質Ａが加熱されると直ちに気化して物質Ａの気泡５２が発生する。この気泡５２は，吸着剤５０の隙間をランダムに流れるため，新鮮な液化物質Ａが供給され易くなり，再生速度を向上することができる。また，網状容器４０によって吸着剤５０の位置が固定されているため，吸着剤５０同士の移動による摩耗を防ぐことが実現できる。【００４０】
また，ヒーター４２を縦方向，つまり，ヒーター４２の水平方向の断面積よりも垂直方向の断面積が大きくなるように設置すると，気化した物質Ａをさらに加熱することができ，発生した気泡の消滅を遅らせることが実現できる。
【００４１】
本発明の対象とする汚水の不純物が，溶存有機物である場合には，吸着剤は活性炭もしくはその派生物であることが好ましい。活性炭は疎水性であるため，水中の有機物を効率良く吸着することができる。さらにこの場合，物質Ａはジメチルエーテル（ＤＭＥ）もしくは，その混合物であることが好ましい。ＤＭＥは沸点が約−２４℃であり，また２４℃における飽和蒸気圧は約０．５８ＭＰａであるため，常温常圧で気体の状態をとる。気体のＤＭＥは冷却もしくは加圧すると液化するが，液化ＤＭＥは油以外に水も溶かす性質を持つ。したがって，液化ＤＭＥを活性炭の洗浄に用いると，活性炭表面で水分に覆われた不純物が存在する場合でも，液化ＤＭＥが水を溶かした後に不純物を脱着することが可能となり，活性炭の再生効率を高くすることが実現できる。
【実施例７】
【００４２】
図7に，溶存有機物を含んだ汚水を活性炭で浄化し，ＤＭＥで再生した使用済み活性炭で再度汚水を処理した実施例を示す。本実施例では，溶存有機物が酢酸であり，濃度が０．９９％である酢酸水溶液を原液とする模擬汚水を準備した。原液を新品の活性炭で浄化したところ除去率が７９％であった。これに対し，使用済み活性炭をＤＭＥで再生し再度原液の浄化に用いたところ，再生活性炭による除去率は６３％であり，本実施例における再生効率は約８０％となり，高効率で活性炭を再生できることを確認した。
【符号の説明】
【００４３】
１    ポンプ
２    処理槽
３    熱交換器Ａ
４    熱交換器Ｂ
５    圧縮機
６    膨張弁
７    熱交換器Ｄ
８    蒸発器
９    凝縮器
３４  熱交換器Ｃ
４０  網状容器
４２  ヒーター
４５  網板
５０  吸着剤
５１  気泡
５２  物質Ａの気泡
【図１】
2015033455.tif 000003
【図２】
2015033455.tif 000004
【図３】
2015033455.tif 000005
【図４】
2015033455.tif 000006
【図５】
2015033455.tif 000007
【図６】
2015033455.tif 000008
【図７】
2015033455.tif 000009
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
水処理で使用した使用済み吸着剤から吸着質を除去して再生する吸着
剤再生装置において，
常温常圧で気体の物質Ａを飽和蒸気圧下に保持することで液体状態と
なった液化物質Ａを用い，
前記吸着剤と前記液化物質Ａを接触させることで吸着質を脱着し液化
物質Ａに溶出させる処理槽と，
前記吸着剤に接触した前記液化物質Ａを気化させることで吸着質を分
離する蒸発器と，
気化した前記物質Ａを液化させる凝縮器と，
液化した前記物質Ａを送液するポンプと，
を備え、
前記蒸発器の高温側と前記凝縮器の低温側とを，冷媒を用いた冷凍サイクルで接続したことを特徴とする吸着剤再生装置。
【請求項２】
水処理で使用した使用済み吸着剤から吸着質を除去して再生する吸着
剤再生装置において，
常温常圧で気体の物質Ａを飽和蒸気圧下に保持することで液体状態と
なった液化物質Ａを用い，
前記吸着剤と前記液化物質Ａを接触させることで吸着質を脱着し液化
物質Ａに溶出させる処理槽と，
前記吸着剤に接触した前記液化物質Ａを気化させることで吸着質を分
離する蒸発器と，
気化した前記物質Ａを圧縮する圧縮機と，
圧縮した前記物質Ａを液化させる凝縮器と，
を備え、
前記蒸発器の高温側と前記凝縮器の低温側とを，冷媒を用いた冷凍サイクルで接続したことを特徴とする吸着剤再生装置。
【請求項３】
請求項２の吸着剤再生装置において、
前記圧縮機の上流側の物質Ａと下流側の物質Ａとで熱を授受するため
熱交換器を設置したことを特徴とする吸着剤再生装置。
【請求項４】
請求項１、又は請求項２の吸着剤再生装置において、前記処理槽内部
の下部から圧縮空気が注入されることを特徴とする吸着剤再生装置。
【請求項５】
請求項１、又は請求項２の吸着剤再生装置において、
前記処理槽内の物質Ａの流れにより吸着剤が浮遊し流動床となるよう
に制御されたことを特徴とする吸着剤再生装置。
【請求項６】
請求項１、又は請求項２の吸着剤再生装置において、
前記処理槽内の下部にヒーターを設置し，飽和蒸気圧下の物質Ａを沸
騰させることを特徴とする吸着剤再生装置。
【請求項７】
請求項６の吸着剤再生装置において、
前記ヒーターを，水平方向の断面積よりも垂直方向の断面積が大きく
なるように設置したことを特徴とする吸着剤再生装置。
【請求項８】
請求項４、又は請求項６の吸着剤再生装置において、
前記物質Ａの流体力により前記吸着剤の粒子の位置が移動しないよう
に，前記吸着剤を網状の容器もしくは袋に入れたことを特徴とする吸
着剤再生装置。
【請求項９】
請求項１、又は請求項２の吸着剤再生装置において、
前記物質Ａがジメチルエーテルであることを特徴とする吸着剤再生装
置。
【請求項１０】
請求項１、又は請求項２の吸着剤再生装置において、
前記吸着剤が活性炭もしくはその派生物であることを特徴とする吸着
剤再生装置。
【国際調査報告】
2015033455.tif 000010
2015033455.tif 000011
2015033455.tif 000012
2015033455.tif 000013